(57)【要約】      （修正有）【課題】複数のディスプレイ部材を用いることができ、必要に応じてその一部分を変更することの可能なＬＥＤ看板を提供する。【解決手段】ＬＥＤ看板１００は、ＬＥＤ導光板１１０と、ＬＥＤ導光板１１０の前面に設けられ、ディスプレイ部材Ｄを差し替え可能に収容する複数の収容部とを備える。収容部は、ディスプレイ部材Ｄの差し替え時にディスプレイ部材Ｄを案内するとともに、ディスプレイ部材Ｄの収容時にディスプレイ部材Ｄを保持する、レール部１２２を備える。１つのＬＥＤ看板に、異なる内容の複数のディスプレイ部材Ｄを配置することができる。また、ディスプレイ部材Ｄの一部を変更したいときや不要になったときに、ディスプレイ部材Ｄを差し替えることができるので、汎用性に優れている。【選択図】図４
0003195324.tif 000002
【実用新案登録請求の範囲】
【請求項１】
ＬＥＤ導光板と、
前記ＬＥＤ導光板の前面に設けられ、ディスプレイ部材を差し替え可能に収容する複数の収容部と、
を備えたことを特徴とする、ＬＥＤ看板。
【請求項２】
前記収容部は、
前記ディスプレイ部材の差し替え時に前記ディスプレイ部材を案内するとともに、前記ディスプレイ部材の収容時に前記ディスプレイ部材を保持する、レール部を備えることを特徴とする、請求項１に記載のＬＥＤ看板。
【考案の詳細な説明】
【技術分野】
【０００１】
本考案は、ＬＥＤ導光板の前面にポスターや広告などのディスプレイ部材を配置し、背面からディスプレイ部材に光を照射することによってディスプレイ部材を光らせるＬＥＤ看板に関する。
【背景技術】
【０００２】
従来のＬＥＤ看板としては、ＬＥＤ導光板の前面にポスターや広告などのディスプレイ部材を配置して一体化した、内照型のＬＥＤ看板が知られている（例えば、特許文献１参照。）。このような内照型のＬＥＤ看板では、１つのＬＥＤ導光板に対して１つのディスプレイ部材が配置される。そして、１つのＬＥＤ導光板と１つのディスプレイ部材とが一体となって、１つのＬＥＤ看板として扱われ、この形態で商取引の対象として市場に流通される。
【先行技術文献】
【特許文献】
【０００３】
【特許文献１】特開２００６−３３７８８５号公報
【考案の概要】
【考案が解決しようとする課題】
【０００４】
しかし、上記従来のＬＥＤ看板では、１つのＬＥＤ導光板に対して１つのディスプレイ部材を配置することを前提としているため、複数のディスプレイ部材を配置したい場合は、複数のＬＥＤ看板を製作しなければならず、コストが掛かっていた。また、ディスプレイ部材の内容の一部分を変更するといった利用の仕方ができず、汎用性に欠けていた。
【０００５】
そこで本考案は、このような問題に鑑みてなされたもので、その目的とするところは、複数のディスプレイ部材を用いることができ、必要に応じてその一部分を変更することの可能な、新規かつ改良されたＬＥＤ看板を提供することにある。
【課題を解決するための手段】
【０００６】
上記課題を解決するために、本考案によれば、ＬＥＤ導光板と、前記ＬＥＤ導光板の前面に設けられ、ディスプレイ部材を差し替え可能に収容する複数の収容部と、を備えたことを特徴とする、ＬＥＤ看板が提供される。
【０００７】
かかる構成によれば、ＬＥＤ導光板の前面に、ディスプレイ部材を差し替え可能に収容する複数の収容部を設けたことで、１つのＬＥＤ看板に、異なる内容の複数のディスプレイ部材を配置することができる。また、ディスプレイ部材の一部を変更したいときや不要になったときに、ディスプレイ部材を差し替えることができるので、汎用性に優れている。
【０００８】
本考案は様々な応用が可能である。例えば、前記収容部は、前記ディスプレイ部材の差し替え時に前記ディスプレイ部材を案内するとともに、前記ディスプレイ部材の収容時に前記ディスプレイ部材を保持する、レール部を備えるようにしてもよい。収容部がこのようなレール部を備えることにより、ディスプレイ部材の差し替え作業がレール部に案内されて容易になるとともに、ディスプレイ部材の保持もレール部によって確実になる。
【考案の効果】
【０００９】
本考案によれば、ＬＥＤ看板において、複数のディスプレイ部材を用いることができ、必要に応じてその一部分を変更することが可能である。なお、本考案のその他の効果や応用例については、さらに後述する。
【図面の簡単な説明】
【００１０】
【図１】本考案の一実施形態にかかるＬＥＤ看板の全体構成を示す図である。
【図２】導光板の構成を示す図である。
【図３】ＬＥＤ看板の側面図である。
【図４】ディスプレイ部材を差し替える動作を示す図である。
【図５】ＬＥＤ看板の応用例を示す図である。
【考案を実施するための形態】
【００１１】
以下に添付図面を参照しながら、本考案の好適な実施の形態について詳細に説明する。なお、本明細書及び図面において、実質的に同一の機能構成を有する構成要素については、同一の符号を付することにより重複説明を省略する。
【００１２】
本実施形態にかかるＬＥＤ看板１００の構成について、図１〜図３を参照しながら説明する。図１は、本実施形態にかかるＬＥＤ看板１００の全体構成を示す図であり、図２は、図１のＬＥＤ導光板１１０の構成を示す図であり、図３は、ＬＥＤ看板１００の側面図である。
【００１３】
本実施形態にかかるＬＥＤ看板１００は、図１に示したように、ＬＥＤ導光板１１０と、ＬＥＤ導光板１１０の前面に設けられる複数の収容部１２０−１、１２０−２、・・・、１２０−１０とを主に備えて構成される。なお、以下の説明では、複数の収容部１２０−１〜１２０−１０を、収容部１２０と総称することがある。以下、ＬＥＤ看板１００の構成要素を順に説明する。
【００１４】
（ＬＥＤ導光板１１０）
ＬＥＤ導光板１１０は、図１に示したように、収容部１２０の背面に設けられる。図２は、ＬＥＤ導光板１１０の構成を示す図である。ＬＥＤ導光板１１０は、図２に示したように、導光板１１２と、板状又はシート状の反射部材１１４と、アルミフレーム１１６と、アルミフレーム１１６内に収容されるＬＥＤ基板１１８と、を備えて構成される。なお、図２では説明の便宜上、アルミフレーム１１６とＬＥＤ基板１１８は１つのみ図示しているが、これらは、ＬＥＤ導光板１１０の両側部や上部に設けられることもある。
【００１５】
そして、ＬＥＤ基板１１８に給電されることにより、導光板１１２が発光する。ＬＥＤ基板１１８への給電は、ＬＥＤ看板１００の下部に設けられたスイッチング電源１３０（図１参照）から行うことができる。スイッチング電源１３０は、１００Ｖを１２Ｖに変換し、ＬＥＤ看板１００の両側部から、ＬＥＤ基板１１８に給電する。そして、導光板１１２からの発光は、導光板１１２の背面に設けられた反射部材１１４により、前面に照射される。
【００１６】
なお、ＬＥＤ導光板１１０自体は、本実施形態の特徴的な部分ではなく、その他の構成のＬＥＤ導光板を採用することもできるため、これ以上の詳細な説明を割愛する。
【００１７】
（収容部１２０）
収容部１２０は、ポスターや広告などのディスプレイ部材を差し替え可能に収容するものである。図１に示した一例では、１０個の収容部１２０−１〜１２０−１０が設けられており、１０枚のディスプレイ部材を収容することができる。なお、ディスプレイ部材については、さらに後述する。
【００１８】
図３は、ＬＥＤ看板１００の側面図である。収容部１２０は、図３に示したように、レール部１２２を備える。レール部１２２は、一つの収容部１２０に対して、上部レール１２２ａと下部レール１２２ｂとからなる。上部レール１２２ａと下部レール１２２ｂは、ディスプレイ部材の差し替え時に、ディスプレイ部材をガイドする機能を有する。また、上部レール１２２ａと下部レール１２２ｂは、ディスプレイ部材の収容時に、ディスプレイ部材を保持する機能を有する。
【００１９】
図３に示したレール部１２２の構成は一例であり、レール部１２２と同様の機能を有するものであれば、どのような構成にしてもよい。例えば、ディスプレイ部材の底面に凸部（又は凹部）が形成され、レール部にそれに対応する凹部（又は凸部）が設けられていてもよい。また、収容部１２０のすべてにレール部がある必要はなく、収容部１２０の一部にのみレール部１２２を設けてもよい。例えば、差し替えの頻度が少ない収容部１２０については、レール部１２２を設けず、差し替えの頻度が高い収容部１２０についてのみ、レール部１２２を設けるようにしてもよい。
【００２０】
以上、本実施形態のＬＥＤ看板１００の構成について説明した。次に、ＬＥＤ看板１００におけるディスプレイ部材の差し替えについて説明する。
【００２１】
図４は、ＬＥＤ看板１００にディスプレイ部材Ｄを収容する動作を示す図である。ディスプレイ部材Ｄは、ＬＥＤ看板１００によって展示されるものであり、例えば、ポスターや広告などである。図４では、ディスプレイ部Ｄとして、不動産の広告を例示している。
【００２２】
ディスプレイ部材Ｄの大きさは、上述した収容部１２０に適合する大きさに形成されている。また、ディスプレイ部材Ｄの素材や厚みは、上述したＬＥＤ導光板１１０からの発光により明るく表示されるものであれば任意の素材や厚みでよい。例えば、一般的なプリンターで出力した用紙を、透明の硬質プラスチックケース（ハードクリアケース）などに入れたものであってもよい。
【００２３】
そして、ディスプレイ部材Ｄは、図４に示したように、レール部１２２によってガイドされて、収容部１２０に収容される。収容部１２０に収容されたディスプレイ部材Ｄは、レール部１２２によって、保持される。
【００２４】
収容部１２０に収容されたディスプレイＤは、上述したＬＥＤ導光板１１０からの発光により、夜や屋内など暗い環境であっても、明るく表示される。
【００２５】
（本実施形態の効果）
以上説明したように、本実施形態によれば、ＬＥＤ導光板１１０の前面に、ディスプレイ部材Ｄを差し替え可能に収容する複数の収容部１２０を設けたことで、１つのＬＥＤ看板１００に、異なる内容の複数のディスプレイ部材Ｄを配置することができる。また、ディスプレイ部材Ｄの一部を変更したいときや不要になったときに、ディスプレイ部材Ｄを差し替えることができるので、汎用性に優れている。
【００２６】
また、収容部１２０がレール部１２２を備えることにより、ディスプレイ部材Ｄの差し替え作業がレール部１２２に案内されて容易になるとともに、ディスプレイ部材Ｄの保持もレール部１２２によって確実になる。
【００２７】
（応用例）
上記実施形態の応用例を説明する。図５は、上記実施形態の応用例として、ＬＥＤ看板の他の形態を示すものである。上記のＬＥＤ看板１００を用いて、図５に示したように、いわゆるＡ型看板を構成することもできる。なお、Ａ型看板の両方の面をいずれも上記のＬＥＤ看板１００で構成してもよく、いずれか一方の面のみを上記のＬＥＤ看板１００で構成してもよい。
【００２８】
以上、添付図面を参照しながら本考案の好適な実施形態について説明したが、本考案はかかる例に限定されないことは言うまでもない。当業者であれば、実用新案登録請求の範囲に記載された範疇内において、各種の変更例または修正例に想到し得ることは明らかであり、それらについても当然に本考案の技術的範囲に属するものと了解される。
【００２９】
例えば、上記実施形態では、ディスプレイ部材Ｄを収容する収容部１２０にレール部１２２を備える構成を例に挙げて説明したが、本考案はこれに限定されない。ディスプレイ部材を収容する収容部は任意の構成を採用することができる。例えば、ＬＥＤ看板の厚み方向に凹部を設けて、ディスプレイ部材をその凹部に嵌め込むといった構造的手段や、磁力・接着力・挟持力など物理的・化学的な手段によってディスプレイ部材を保持・収容するようにしてもよい。
【産業上の利用可能性】
【００３０】
本考案は、ＬＥＤ導光板の前面にポスターや広告などのディスプレイ部材を配置し、背面からディスプレイ部材に光を照射することによってディスプレイ部材を光らせるＬＥＤ看板に利用可能である。
【符号の説明】
【００３１】
１００    ＬＥＤ看板
１１０    ＬＥＤ導光板
１１２    導光板
１１４    反射部材
１１６    アルミフレーム
１１８    ＬＥＤ基板
１２０    収容部
１２２    レール部
１２２ａ  上部レール
１２２ｂ  下部レール
１３０    スイッチング電源
Ｄ        ディスプレイ部材
【図１】
0003195324.tif 000003
【図２】
0003195324.tif 000004
【図３】
0003195324.tif 000005
【図４】
0003195324.tif 000006
【図５】
0003195324.tif 000007